(57)【要約】【課題】チャンネルに関連する情報が不足したり重複したりするような例外的な放送を含む受信可能なＡＴＳＣ方式の全てのデジタルテレビ放送をチャンネルの重複等なく漏れなく適切にチャンネルプリセットする。【解決手段】チャンネルプリセット処理部１２により、チャンネルに関連する情報が不足したり重複したりするような例外的な放送を含む受信可能なＡＴＳＣ方式の全てのデジタルテレビ放送に対して、ＣＨ−ＤＢ１３に重複登録しないように仮想チャンネルを割り当てて一時的に登録し、その後、ＣＨ−ＤＢ１３の登録内容をメモリ４に書き込み、受信可能なＡＴＳＣ方式の全てのデジタルテレビ放送をチャンネルの重複等なく漏れなく適切にチャンネルプリセットする。【選択図】図１
2008154149.tif 000002
【特許請求の範囲】
【請求項１】
ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置において、チャンネルプリセットの設定により、選局周波数を昇降可変してトランスポート・ストリーム（以下、ＴＳという）を受信復調するか否かを検出する有局検出手段と、前記有局検出手段がＴＳの受信復調を検出する毎に受信復調したＴＳのＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）にバーチャル・チャンネル・テーブル（Ｖｉｒｔｕａｌ  Ｃｈａｎｎｅｌ  Ｔａｂｌｅ）（以下、ＶＣＴという）が存在するか否かを判別するＶＣＴ有無判別手段と、前記ＶＣＴ有無判別手段のＶＣＴ有りの判別により、当該ＶＣＴのメイン（Ｍａｊｏｒ）値及びサブ（Ｍｉｎｏｒ）値の仮想チャンネル（Ｖｉｒｔｕａｌ  Ｃｈａｎｎｅｌ）（以下、Ｖ−ＣＨという）が一時登録用のチャンネルデータベース部に既登録か否かを判別する登録有無判別手段と、前記登録有無判別手段の未登録の判別により前記ＶＣＴのメイン値及びサブ値のＶ−ＣＨをプリセットするチャンネルとして前記チャンネルデータベース部に登録し、該登録有無判別手段の既登録の判別により未登録チャンネル有りのフラグをセットする一時登録処理手段と、前記ＶＣＴ有無判別手段のＶＣＴ無しの判別により、ＴＳのプログラム・マップ・テーブル（Pｒｏｇｒａｍ  Ｍａｐ  Ｔａｂｌｅ）（以下、ＰＭＴという）に存在するＶＣＴとＰＭＴの少なくともプログラム・ナンバー（Ｐｒｏｇｒａｍ  Ｎｕｍｂｅｒ）（以下、Ｐ−ＮＵＭという）の一致、不一致を判別するＰＭＴ判別手段と、前記ＰＭＴ判別手段の一致判別により未登録チャンネル有りのフラグをセットし、前記ＰＭＴ判別手段の不一致判別によりメイン値を選局周波数に対応した物理チャンネル値、サブ値をＰＭＴのＰ−ＮＵＭとするＶ−ＣＨを生成する第１の例外処理手段と、前記第１の例外処理手段により生成されたＶ−ＣＨが前記チャンネルデータベース部に未登録であれば当該Ｖ−ＣＨを前記チャンネルデータベース部にプリセットするチャンネルとして登録し、前記第１の例外処理手段により生成されたＶ−ＣＨが前記チャンネルデータベース部に既登録であれば未登録チャンネル有りのフラグをセットする第２の例外処理手段と、選局周波数の昇降可変の終了により、未登録チャンネル有りのフラグがセットされた未登録のプリセットするチャンネルを前記チャンネルデータベース部に登録された各Ｖ−ＣＨと重複しないＶ−ＣＨに決定して前記チャンネルデータベース部に追加登録する追加登録処理手段と、前記追加登録の終了後に前記チャンネルデータベース部に一時的に登録された各Ｖ−ＣＨをチャンネルプリセット用のメモリに書き込んで設定する本登録処理手段とを備えたことを特徴とする映像処理装置。
【請求項２】
前記追加登録手段は、前記ＶＣＴ有無判別手段がＶＣＴ有りとした未登録のプリセットするチャンネルについては、ＰＳＩＰのＶＣＴのＶ−ＣＨが１パートチャンネルか２パートチャンネルかを識別し、該識別に基づき前記チャンネルデータベース部の１パートチャンネル、２パートチャンネルそれぞれの既登録のＶ−ＣＨと異なるＶ−ＣＨに決定して前記チャンネルデータベース部に追加登録することを特徴とする請求項１記載の映像処理装置。
【請求項３】
ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置のチャンネルプリセット方法において、チャンネルプリセットの設定により、選局周波数を昇降可変してトランスポート・ストリーム（以下、ＴＳという）を受信復調する毎に、受信復調したＴＳのＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）にバーチャル・チャンネル・テーブル（Ｖｉｒｔｕａｌ  Ｃｈａｎｎｅｌ  Ｔａｂｌｅ）（以下、ＶＣＴという）が存在するか否かを判別し、ＰＳＩＰにＶＣＴが存在するときには、当該ＶＣＴのメイン（Ｍａｊｏｒ）値及びサブ（Ｍｉｎｏｒ）値の仮想チャンネル（Ｖｉｒｔｕａｌ  Ｃｈａｎｎｅｌ）（以下、Ｖ−ＣＨという）が一時登録用のチャンネルデータベース部に既登録か否かを判別し、未登録であれば前記ＶＣＴのメイン値及びサブ値のＶ−ＣＨをプリセットするチャンネルとして前記チャンネルデータベース部に登録し、既登録であれば未登録チャンネル有りのフラグをセットし、ＰＳＩＰにＶＣＴが存在しなければ、ＴＳのプログラム・マップ・テーブル（Pｒｏｇｒａｍ  Ｍａｐ  Ｔａｂｌｅ）（以下、ＰＭＴという）に存在するＶＣＴとＰＭＴの少なくともプログラム・ナンバー（Ｐｒｏｇｒａｍ  Ｎｕｍｂｅｒ）（以下、Ｐ−ＮＵＭという）の一致、不一致を判別し、Ｐ−ＮＵＭが一致するときは未登録チャンネル有りのフラグをセットし、Ｐ−ＮＵＭが不一致のときはメイン値を選局周波数に対応した物理チャンネル値、サブ値をＰＭＴのＰ−ＮＵＭとするＶ−ＣＨを生成し、生成したＶ−ＣＨが前記チャンネルデータベース部に未登録であれば当該Ｖ−ＣＨを前記チャンネルデータベース部にプリセットするチャンネルとして登録し、生成したＶ−ＣＨが前記チャンネルデータベース部に既登録であれば未登録チャンネル有りのフラグをセットし、選局周波数の昇降可変の終了により、未登録チャンネル有りのフラグがセットされた未登録のプリセットするチャンネルを前記チャンネルデータベース部に登録された各Ｖ−ＣＨと重複しないＶ−ＣＨに決定して前記チャンネルデータベース部に追加登録し、追加登録の終了後に前記チャンネルデータベース部に一時的に登録された各Ｖ−ＣＨをチャンネルプリセット用のメモリに書き込んで設定することを特徴とする映像処理装置のチャンネルプリセット方法。
【請求項４】
ＶＣＴ有りとした未登録のプリセットするチャンネルについては、ＰＳＩＰのＶＣＴのＶ−ＣＨが１パートチャンネルか２パートチャンネルかを識別し、該識別に基づき前記チャンネルデータベース部の１パートチャンネル、２パートチャンネルそれぞれの既登録のＶ−ＣＨと異なるＶ−ＣＨに決定して前記チャンネルデータベース部に追加登録することを特徴とする請求項３記載の映像処理装置のチャンネルプリセット方法。
【発明の詳細な説明】
【技術分野】
【０００１】
本発明は、米国等で実施されているＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送の受信機能を備えた映像処理装置及びそのチャンネルプリセット方法に関し、詳しくは、チャンネルに関連する情報が不足したり重複したりするような例外的な放送等にも対応した新規なチャンネルプリセットに関する。
【背景技術】
【０００２】
従来、米国等においてはＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）方式のデジタルテレビ放送が実施（又は予定）されている。
【０００３】
このＡＴＳＣ方式のデジタルテレビ放送においては、アナログテレビ放送とは異なり、ＲＦ周波数（選局周波数）に対応する各物理チャンネルに１又は複数のサブチャンネルが存在し、各サブチャンネルには、物理チャンネルに対応する４桁のメイン（ｍａｊｏｒ）値のチャンネル番号と、サブ（ｍｉｎｏｒ）値のチャンネルの番号とで構成される仮想チャンネル（以下、Ｖ−ＣＨという）の番号が付与される。
【０００４】
更に、ＡＴＳＣ方式のデジタルテレビ放送では、１パート（ＯＮＥ−ＰＡＲＴ）チャンネルと、２パート（ＴＷＯ−ＰＡＲＴ）チャンネルとが定義されている。１パートチャンネルは前記メイン値のチャンネル番号で指定される従来のアナログテレビ放送のチャンネルと同様のチャンネルであり、２パートチャンネルは前記メイン値のチャンネル番号と前記サブ値のチャンネル番号とで指定されるチャンネルである。
【０００５】
そして、各サブチャンネルは、１パートチャンネルについてはサブ値を「０」として、それぞれ１パートチャンネル又は２パートチャンネルのＶ−ＣＨの番号が付与され、このＶ−ＣＨの番号で選局して受信復調できるようになっている。
【０００６】
次に、前記ＡＴＳＣ方式のデジタルテレビ放送においては、映像圧縮方式にＭＰＥＧ−２が採用され、音声圧縮方式にＡＣ−３が採用され、番組の映像、音声の信号はそれぞれの圧縮方式で帯域圧縮される。
【０００７】
そして、圧縮して符号化された１又は複数のサブチャンネルの映像、音声はトランスポートパケット（Ｔｒａｎｓｐｏｒｔ  Ｐａｃｋｅｔ）に分割され、トランスポートパケットが連続したトランスポートストリーム（Ｔｒａｎｓｐｏｒｔ  Ｓｔｒｅａｍ）（以下、ＴＳという）のデジタル信号として配信される。
【０００８】
このとき、前記ＴＳにより、映像、音声に加えて放送番組に関連する制御情報のデータも同時にパケット化されて送信される。前記制御情報には視聴制限、番組情報、文字放送の情報や前記Ｖ−ＣＨの情報等を有するＰＳＩＰ（Ｐｒｏｇｒａｍ  ａｎｄ  Ｓｙｓｔｅｍ  Ｉｎｆｏｒｍａｔｉｏｎ  Ｐｒｏｔｏｃｏｌ）が含まれる。
【０００９】
このようなＡＴＳＣ方式のデジタルテレビ放送を受信するテレビジョン受信機や映像記録再生装置等の映像処理装置には、従来、チャンネルプリセット機能を備えたものがある。
【００１０】
このチャンネルプリセット機能を備えた映像処理装置は、最初の電源投入に基づくチャンネルプリセットやその後のメニュー選択のチャンネルプリセットにより、受信復調して得られた前記ＴＳの前記ＰＳＩＰを解析して番組特定情報（Ｐｒｏｇｒａｍ  Ｓｐｅｃｉｆｉｃ  Ｉｎｆｏｒｍａｔｉｏｎ）のバーチャル・チャンネル・テーブル（Ｖｉｒｔｕａｌ  Ｃｈａｎｎｅｌ  Ｔａｂｌｅ）（以下、ＶＣＴという）を生成し、このＶＣＴの各Ｖ−ＣＨをプリセット記憶し、このプリセット記憶に基づき、チャンネルプリセット後には選局操作等で選択されたチャンネルを識別して当該チャンネルのデジタル放送を受信、復調する。
【００１１】
しかしながら、例えば米国のデジタルテレビ放送においては、Ｖ−ＣＨの情報が欠如している放送、不正なＶ−ＣＨの放送やＶ−ＣＨが重複する放送等の例外的な放送が存在する。
【００１２】
このような例外的な放送については、チャンネルプリセット機能を有する従来の前記映像処理装置では、適正なチャンネルプリセットが困難である。
【００１３】
すなわち、ＰＳＩＰ内の情報が欠如（不足）している放送、ＰＳＩＰ内にＶ−ＣＨが無くＰＭＴ（Ｐｒｏｇｒａｍ  Ｍａｐ  Ｔａｂｌｅ）内に存在するＶＣＴが不正な放送や、同一のＰＳＩＰを有し重複する放送等の例外的な放送は、正規の通常の放送とその他の点では変わりはなく、本来は受信可能であるにも関わらず、従来は、適正なチャンネルプリセットが行なえないため、チャンネルプリセット後に受信することができず、受信画面の表示や録画をすることができない。
【００１４】
そこで、例外的な放送の一例である、前記ＰＳＩＰが存在せず、前記ＶＣＴが得られないデジタルテレビ放送については、受信したＴＳに含まれるＰＡＴ（Ｐｒｏｇｒａｍ  Ａｓｓｏｃｉａｔｉｏｎ  Ｔａｂｌｅ）の下位層の各ＰＭＴを解析し、サブチャンネル番号を各ＰＭＴのパケット順のＩＤとしてＶ−ＣＨを生成し、このＶ−ＣＨを含む受信可能な（選択可能な）各Ｖ−ＣＨをＯＳＤ（Ｏｎ  Ｓｃｒｅｅｎ  Dｉｓｐｌａｙ）表示してチャンネルプリセットの受信を可能にすることが提案されている（例えば、特許文献１参照）。
【００１５】
なお、ＴＳは概略ＰＡＴとＰＳＩＰとで構成され、そのＰＡＴは図９に模式的に示す構造である。同図のＰＡＴα１はＴＳ内の全ＰＭＴα２１、α２２、…を含み、各ＰＭＴα２１、α２２、…は１チャンネル分の映像、音声、時間情報のストリームα３１、α３２、α３３を含み、更に、ＶＣＴが存在する場合もある。このＰＭＴα２１、α２２、…に存在するＶＣＴはＰＳＩＰに存在するＶＣＴ内の１チャンネル分のデータを含みＶ−ＣＨの情報も含む。
【００１６】
又、１つのＴＳの各ＰＭＴα２１、α２２、…には図９「ｐｒｏｇｒａｍ  ＮＯ．」で示す順次のプログラムナンバー（Ｐｒｏｇｒａｍ  Ｎｕｍｂｅｒ）（以下、Ｐ−ＮＵＭという）が付され、このＰ−ＮＵＭはＶＣＴ内にも存在し、ＡＴＳＣ方式の規格上、対応するＶＣＴの対応する各チャンネル情報とＰＭＴα２１、α２２、…とは同じＰ−ＮＵＭでなければならないことになっている。
【００１７】
更に、ＰＡＴ、ＰＭＴ及びＰＭＴ内の映像（Ｖｉｄｅｏ）、音声（Ａｕｄｉｏ）、時刻情報（ＰＣＲ：Ｐｒｏｇｒａｍ  Ｃｌｏｃｋ  Ｒｅｆｅｒｅｎｃｅ）のストリームα３１〜α３３等には、それぞれＰＩＤ（Ｐａｃｋｅｔ  Ｉｄｅｎｔｉｆｉｅｒ）と呼ばれるＩＤが付される。
【００１８】
又、ＶＣＴは基本的にＰＳＩＰ内に存在し、このＶＣＴは地上波とＣＡＴＶとで区別する場合、地上波についてはＴＶＣＴ（Ｔｅｒｒｅｓｔｒｉａｌ  Ｖｉｒｔｕａｌ  Ｃｈａｎｎｅｌ  Ｔａｂｌｅ）と表記され、ＣＡＴＶのケーブル信号についてはＣＶＣＴ（Ｃａｂｌｅ  Ｖｉｒｔｕａｌ  Ｃｈａｎｎｅｌ  Ｔａｂｌｅ）と表記される。そして、ＰＳＩＰ内のＶＣＴは概略図１０式的に示す構造である。同図のＶＣＴβ１は、各１チャンネルのユニットβ２１、β２２、…に各チャンネルのＶ−ＣＨと、このＶ−ＣＨで使用されるＰＭＴのＰ−ＮＵＭと、ＰＩＤが書き込まれる。
【００１９】
一方、わが国の地上波デジタルテレビ放送を受信する受信装置において、チャンネルプリセット時、ユーザが指定する地域のチャンネル番号に複数の放送が重複するときは、重複している放送に枝番号を付加してチャンネル番号を異ならせることが提案されている（例えば、特許文献２参照）。
【００２０】
又、上述のようにして重複する放送に枝番号を付加した場合に、その番号一覧を表示して重複する放送の選択を可能にし、また、リモコンの空き番号に重複する放送を割り当てることも提案されている（例えば、特許文献３参照）。
【特許文献１】特開２００２−３４４８３８号公報（要約書、段落［０００９］、［００２３］−［００２６］、図１、図４等）
【特許文献２】特開２００４−３４３２３５号公報（要約書、段落［００２３］−［００２８］、図１、図３等）
【特許文献３】特開２００４−２２２０４９号公報（段落［００２７］−［００３３］、図１、図３等）
【発明の開示】
【発明が解決しようとする課題】
【００２１】
前記特許文献１に記載のチャンネルプリセットの場合、ＰＳＩＰが存在する同じＶ−ＣＨの放送はそのまま重複してチャンネルプリセットする問題があり、とくに１パートチャンネルの同一のＶ−ＣＨの放送が複数個存在するときには全てを同じ１パートチャンネルに重複してプリセットしてしまう問題がある。又、ＰＳＩＰが存在せずＰＳＩＰからはＶＣＴが得られない放送については、そのような放送が多数存在するような場合等に同じチャンネルに複数の放送を重複してプリセットしたり、ＰＭＴの不正なＶ−ＣＨを誤ってプリセットするおそれがあり、ＭＰＥＧ−２のデータ取得条件等によってはプリセットするＶ−ＣＨがチャンネルプリセット毎に入れ替ったりするおそれもある。
【００２２】
一方、前記特許文献２、３に記載のチャンネルプリセットは、重複するチャンネルを枝番を付し区別してプリセットするものであるため、このチャンネルプリセットを、米国等のＡＴＳＣ方式のデジタルテレビ放送のチャンネルプリセットに適用しようとすると、プリセットするＶ−ＣＨの桁数が枝番号の桁の分更に多くなり、重複する放送が多数存在する地域等では、枝番号の桁数が多くなってチャンネル管理等が複雑で困難になる。しかも、Ｖ−ＣＨの情報が欠如している放送や不正なＶ−ＣＨの放送等のチャンネルプリセットには対応できない。
【００２３】
すなわち、ＡＴＳＣ方式のデジタルテレビ放送のチャンネルプリセット機能を有する従来のこの種の映像処理装置は、Ｖ−ＣＨの情報が欠如している放送、不正なＶ−ＣＨの放送やチャンネルが重複する放送、すなわち、チャンネルに関連する情報が不足した重複したりするような例外的な放送を含む配信されている全ての受信可能な放送を漏れなく適切にチャンネルプリセットすることができない。
【００２４】
本発明は、ＡＴＳＣ方式のデジタルテレビ放送の受信機能を備えた映像処理装置において、チャンネルに関連する情報が不足したり重複したりするような例外的な放送を含む受信可能な全てのデジタルテレビ放送をチャンネルの重複等なく漏れなく適切にチャンネルプリセットすることを目的とする。
【課題を解決するための手段】
【００２５】
上記した目的を達成するために、本発明の映像処理装置は、ＡＴＳＣ方式のデジタルテレビ放送の受信機能を備えた映像処理装置において、チャンネルプリセットの設定により、選局周波数を昇降可変してＴＳを受信復調するか否かを検出する有局検出手段と、前記有局検出手段がＴＳの受信復調を検出する毎に受信復調したＴＳのＰＳＩＰにＶＣＴが存在するか否かを判別するＶＣＴ有無判別手段と、前記ＶＣＴ有無判別手段のＶＣＴ有りの判別により、当該ＶＣＴのメイン（Ｍａｊｏｒ）値及びサブ（Ｍｉｎｏｒ）値のＶ−ＣＨが一時登録用のチャンネルデータベース部に既登録か否かを判別する登録有無判別手段と、前記登録有無判別手段の未登録の判別により前記ＶＣＴのメイン値及びサブ値のＶ−ＣＨをプリセットするチャンネルとして前記チャンネルデータベース部に登録し、該登録有無判別手段の既登録の判別により未登録チャンネル有りのフラグをセットする一時登録処理手段と、前記ＶＣＴ有無判別手段のＶＣＴ無しの判別により、ＴＳのＰＭＴに存在するＶＣＴとＰＭＴの少なくともＰ−ＮＵＭの一致、不一致を判別するＰＭＴ判別手段と、前記ＰＭＴ判別手段の一致判別により未登録チャンネル有りのフラグをセットし、前記ＰＭＴ判別手段の不一致判別によりメイン値を選局周波数に対応した物理チャンネル値、サブ値をＰＭＴのＰ−ＮＵＭとするＶ−ＣＨを生成する第１の例外処理手段と、前記第１の例外処理手段により生成されたＶ−ＣＨが前記チャンネルデータベース部に未登録であれば当該Ｖ−ＣＨを前記チャンネルデータベース部にプリセットするチャンネルとして登録し、前記第１の例外処理手段により生成されたＶ−ＣＨが前記チャンネルデータベース部に既登録であれば未登録チャンネル有りのフラグをセットする第２の例外処理手段と、選局周波数の昇降可変の終了により、未登録チャンネル有りのフラグがセットされた未登録のプリセットするチャンネルを前記チャンネルデータベース部に登録された各Ｖ−ＣＨと重複しないＶ−ＣＨに決定して前記チャンネルデータベース部に追加登録する追加登録処理手段と、前記追加登録の終了後に前記チャンネルデータベース部に一時的に登録された各Ｖ−ＣＨをチャンネルプリセット用のメモリに書き込んで設定する本登録処理手段とを備えたことを特徴としている（請求項１）。
【００２６】
又、本発明の映像処理装置における前記追加登録手段は、前記ＶＣＴ有無判別手段がＶＣＴ有りとした未登録のプリセットするチャンネルについては、ＰＳＩＰのＶＣＴのＶ−ＣＨが１パートチャンネルか２パートチャンネルかを識別し、該識別に基づき前記チャンネルデータベース部の１パートチャンネル、２パートチャンネルそれぞれの既登録のＶ−ＣＨと異なるＶ−ＣＨに決定して前記チャンネルデータベース部に追加登録することを特徴としている（請求項２）。
【００２７】
次に、本発明の映像処理装置のチャンネルプリセット方法は、ＡＴＳＣ方式のデジタルテレビ放送の受信機能を備えた映像処理装置のチャンネルプリセット方法において、チャンネルプリセットの設定により、選局周波数を昇降可変してＴＳを受信復調する毎に、受信復調したＴＳのＰＳＩＰにＶＣＴが存在するか否かを判別し、ＰＳＩＰにＶＣＴが存在するときには、当該ＶＣＴのメイン（Ｍａｊｏｒ）値及びサブ（Ｍｉｎｏｒ）値のＶ−ＣＨが一時登録用のチャンネルデータベース部に既登録か否かを判別し、未登録であれば前記ＶＣＴのメイン値及びサブ値のＶ−ＣＨをプリセットするチャンネルとして前記チャンネルデータベース部に登録し、既登録であれば未登録チャンネル有りのフラグをセットし、ＰＳＩＰにＶＣＴが存在しなければ、ＴＳのＰＭＴに存在するＶＣＴとＰＭＴの少なくともＰ−ＮＵＭの一致、不一致を判別し、Ｐ−ＮＵＭが一致するときは未登録チャンネル有りのフラグをセットし、Ｐ−ＮＵＭが不一致のときはメイン値を選局周波数に対応した物理チャンネル値、サブ値をＰＭＴのＰ−ＮＵＭとするＶ−ＣＨを生成し、生成したＶ−ＣＨが前記チャンネルデータベース部に未登録であれば当該Ｖ−ＣＨを前記チャンネルデータベース部にプリセットするチャンネルとして登録し、生成したＶ−ＣＨが前記チャンネルデータベース部に既登録であれば未登録チャンネル有りのフラグをセットし、選局周波数の昇降可変の終了により、未登録チャンネル有りのフラグがセットされた未登録のプリセットするチャンネルを前記チャンネルデータベース部に登録された各Ｖ−ＣＨと重複しないＶ−ＣＨに決定して前記チャンネルデータベース部に追加登録し、追加登録の終了後に前記チャンネルデータベース部に一時的に登録された各Ｖ−ＣＨをチャンネルプリセット用のメモリに書き込んで設定することを特徴としている（請求項３）。
【００２８】
又、本発明の映像処理装置のチャンネルプリセット方法は、ＶＣＴ有りとした未登録のプリセットするチャンネルについては、ＰＳＩＰのＶＣＴのＶ−ＣＨが１パートチャンネルか２パートチャンネルかを識別し、該識別に基づき前記チャンネルデータベース部の１パートチャンネル、２パートチャンネルそれぞれの既登録のＶ−ＣＨと異なるＶ−ＣＨに決定して前記チャンネルデータベース部に追加登録することを特徴としている（請求項４）。
【発明の効果】
【００２９】
まず、請求項１、３の発明によれば、チャンネルプリセットにおいて、選局周波数を昇降可変して選局範囲が検索され、この検索によってＡＴＳＣ方式のデジタルテレビ放送を受信してＴＳを受信復調すると、そのＰＳＩＰにＶＣＴが存在するか否かが判別される。
【００３０】
そして、ＰＳＩＰにＶＣＴが存在する正常な放送は、ＶＣＴのＶ−ＣＨが正規の正しいチャンネル情報であるため、そのＶＣＴのメイン値及びサブ値のＶ−ＣＨが、チャンネルデータベース部（以下、ＣＨ−ＤＢという）に同じＶ−ＣＨが登録されていないことを条件にプリセットするチャンネルとしてＣＨ−ＤＢに一時登録（仮登録）される。このとき、ＣＨ−ＤＢに同じＶ−ＣＨが既に登録されていると、重複登録を防止するため、そのＶ−ＣＨは登録しないで未登録チャンネル有りのフラグがセットされる。
【００３１】
又、受信復調したＴＳのＰＳＩＰにＶＣＴが存在しないチャンネル情報が不足しているデジタルテレビ放送については、受信復調したＴＳのＰＭＴに存在するＶＣＴとそのＰＭＴのＰ−ＮＵＭが一致していると、そのＶＣＴのＶ−ＣＨが有効であるとして、重複登録を防止するため、未登録チャンネル有りのフラグがセットされる。
【００３２】
一方、受信復調したＴＳのＰＭＴに存在するＶＣＴとそのＰＭＴのＰ−ＮＵＭが一致していなければ、そのＶＣＴのＶ−ＣＨが不正であるので、選局周波数のメイン値及びＰＭＴのＰ−ＮＵＭのサブ値によって新たなＶ−ＣＨを生成し、更に、ＣＨ−ＤＢの重複登録を防止するため、同じＶ−ＣＨが登録されていなければ、そのＶ−ＣＨがプリセットするチャンネルとしてＣＨ−ＤＢに一時登録（仮登録）され、同じＶ−ＣＨが登録されていると、そのＶ−ＣＨは登録しないで未登録チャンネル有りのフラグがセットされる。
【００３３】
このようにして、選局範囲内の検索された各デジタルテレビ放送のうちの正規、かつ、重複登録のおそれがないＶ−ＣＨを含む放送のみ、そのＶ−ＣＨがプリセットするチャンネルとしてＣＨ−ＤＢに一時登録され、残りの放送のＶ−ＣＨについては登録しないで未登録チャンネル有りのフラグがセットされる。
【００３４】
そして、選局範囲の前記検索が終了すると、未登録チャンネル有りのフラグがセットされた未登録のチャンネルについて、ＣＨ−ＤＢに登録されている各Ｖ−ＣＨと重複しないようにＶ−ＣＨが決定され、それらのＶ−ＣＨもＣＨ−ＤＢに追加登録される。
【００３５】
その後、ＣＨ−ＤＢの各Ｖ−ＣＨがチャンネルプリセット用のメモリに書き込まれて設定され、チャンネルプリセットが終了する。
【００３６】
したがって、ＡＴＳＣ方式のデジタルテレビ放送の受信機能を有する映像処理装置において、チャンネルに関する情報が欠落している放送やＶ−ＣＨが重複するおそれがある放送については、選局範囲の検索終了後に一括してＶ−ＣＨを決定する構成により、チャンネルに関連する情報が不足したり重複したりするような例外的な放送を含む受信可能な全ての放送をチャンネルの重複等なく漏れなく適切にチャンネルプリセットすることができる。
【００３７】
又、請求項２、４の発明によれば、受信復調したＴＳのＰＳＩＰにＶＣＴが存在するときには、未登録のプリセットするチャンネルを、ＶＣＴのＶ−ＣＨに合わせて本来の１パートチャンネル又は２パートチャンネルとしてプリセットすることができ、プリセット後の選局操作等の違和感がなく、チャンネルプリセットの性能が一層向上する。
【発明を実施するための最良の形態】
【００３８】
次に、本発明をより詳細に説明するため、その一実施形態について、図１〜図８にしたがって詳述する。
【００３９】
図１は映像処理装置としてのテレビジョン受信機１の要部のブロック構成を示し、図２〜図４はテレビジョン受信機１のチャンネルプリセット処理のフローチャート、図５は図２の追加登録の処理の詳細なフローチャートである。
【００４０】
図６は最初の電源投入時（初回起動時）にテレビジョン受信機１の画面表示部７に表示されるチャンネルプリセットを促す画面７ａを示し、図７はユーザの選択操作によって画面表示部７に表示されるメニュー画面７ｂを示す。図８はチャンネルプリセット中の画面表示部７の画面７ｃを示す。
【００４１】
（構成）
図１のテレビジョン受信機１はＡＴＳＣ方式のデジタルテレビ放送の受信機能を備えた米国仕様のテレビジョン受信機であり、同図において、２はアンテナ又はＣＡＴＶケーブルに接続された受信復調部であり、チューナ及びその後段のデジタル復調処理を行なうフロントエンド部等からなり、アンテナ受信又はケーブル入力の選局チャンネルのＲＦ信号を受信してデジタル復号処理し、当該チャンネルの受信復調したＴＳを出力する。
【００４２】
３は受信復調部２の受信選局を制御する選局制御部であり、不揮発性のチャンネルプリセット用のメモリ４の各Ｖ−ＣＨのチャンネル情報に基づき、受信復調部２を、ユーザ操作やタイマ制御によって指定されたＶ−ＣＨのデジタルテレビ放送の受信復調及び、チャンネルプリセット時の選局周波数を昇降可変する掃引検索の受信復調に制御する。
【００４３】
５は受信復調部２の後段の映像・音声デコーダ部であり、受信復調部２で受信復調されたＴＳのＭＰＥＧ−２圧縮された映像、ＡＣ−３圧縮された音声を、ベースバンドの映像、音声のデジタル信号に復調する。
【００４４】
６は映像・音声デコーダ部５の後段の映像処理部であり、映像のデジタル信号のデジタル／アナログ変換等を行なって画面表示出力を形成する。７は液晶ディスプレイ、プラズマディスプレイ又はＣＲＴからなる画面表示部であり、映像処理部６の画面表示出力に基づいて、受信した映像を画面表示する。
【００４５】
８は映像・音声デコーダ部５の後段の音声処理部であり、音声のデジタル信号のデジタル／アナログ変換等を行なって音声信号を形成する。９はスピーカ等からなる音声出力部であり、音声処理部８の音声信号に基づき、受信した音声を出力する。
【００４６】
１０はＰＳＩＰ検出部であり、受信復調部２で受信復調されたＴＳのＰＳＩＰを検出する。１１はＰＳＩＰ検出部１０の後段のチャンネル検出部であり、本発明のＶＣＴ有無判別手段を形成し、ＰＳＩＰにＶＣＴが存在するか否かを判別すると共にＶＣＴのメイン（Ｍａｊｏｒ）値及びサブ（Ｍｉｎｏｒ）値が形成するＶ−ＣＨの情報を出力する。
【００４７】
１２はチャンネルプリセット処理部であり、例えばレジスタで構成されたＣＨ−ＤＢ１３及びフラグレジスタ１４を有し、選局制御部３、ＰＳＩＰ検出部１０、チャンネル検出部１１と同様、マイクロコンピュータのソフトウエア処理で形成され、本発明の有局検出手段、登録有無判別手段、一時登録処理手段、ＰＭＴ判別手段、第１、第２の例外処理手段、追加登録処理手段、本登録処理手段を形成する。
【００４８】
そして、前記有局検出手段は、テレビジョン受信機１の最初の電源投入時の開始選択又は、ユーザ操作により画面表示部７に表示されたメニュー画面からの機能選択時により、チャンネルプリセットが指令されたときに、選局制御部３を介して受信復調部２の選局周波数を昇順或いは降順に掃引して昇降可変し、この選局周波数の昇降可変中に受信復調部２がデジタルテレビ放送に復調同期するか否かにより、受信復調部２がＴＳを受信復調するか否かを検出する。
【００４９】
尚、最初に電源を投入したとき（初回起動時）は、画面表示部７に自動的にチャンネルプリセットを促す例えば図６の画面７ａが表示され、画面７ａの左下隅の上向き、下向き白抜きの三角マークｍａ、ｍｂをクリックして画面中央の左右方向のストライプｍｃを上下動して中央の「ＳＴＡＲＴ」に合わせ、画面右下の「ＳＥＴ」ｍｄをクリックすることによって、チャンネルプリセットが始まる。
【００５０】
又、その後は、ユーザ操作で画面表示部７に例えば図７に示す各種機能のメニュー選択の画面７ｂを表示し、この画面７ｂの左下隅の三角マークｍａ、ｍｂをクリックして画面中央の左右方向のストライプｍｃを上下動して「ＡＵＴＯ  ＣＨ  ＭＥＭＯＲＹ」に合わせ、画面右下の「ＡＤＪＵＳＴ」ｍｅをクリックすることによって、チャンネルプリセットが始まる。
【００５１】
更に、チャンネルプリセットの処理中は、画面表示部７に例えば図８の処理中を示す画面７ｃが表示され、この画面７ｃの左右方向のストライプｍｆがチャンネルプリセットの進行にしたがって画面右方向に伸びて進捗状況が躍動的に表示される。
【００５２】
前記登録有無判別手段は、前記有局検出手段がＴＳの受信復調を検出する毎に、チャンネル検出部１１のＶＣＴ有りの判別により、ＰＳＩＰに存在するＶＣＴのメイン（Ｍａｊｏｒ）値及びサブ（Ｍｉｎｏｒ）値のＶ−ＣＨがＣＨ−ＤＢ１３に既登録か否かを判別する。
【００５３】
前記一時登録処理手段は、登録有無判別手段が未登録の判別を行う、登録対象のＶ−ＣＨがＣＨ−ＤＢ１３に登録されていないときには、受信復調したＴＳのＰＳＩＰに存在するＶＣＴのメイン値及びサブ値のＶ−ＣＨをプリセットするチャンネルとしてＣＨ−ＤＢ１３に登録し、登録有無判別手段が既登録の判別を行う、登録対象のＶ−ＣＨがＣＨ−ＤＢ１３に登録されているときには、そのＶ−ＣＨをＣＨ−ＤＢ１３に登録しないで、フラグレジスタ１４の未登録チャンネル有りのフラグをセットする。
【００５４】
前記ＰＭＴ判別手段は、チャンネル検出部（ＶＣＴ有無判別手段）１１がＶＣＴ無しの判別を行なうＴＳの受信復調時、ＴＳのＰＡＴに含まれたＰＭＴと、そのＶＣＴとの少なくともＰ−ＮＵＭの一致、不一致を判別するが、本実施形態においては、ＰＭＴと、それに含まれるＶＣＴとのＰ−ＮＵＭの一致、不一致及び、映像（Ｖｉｄｅｏ）、音声（Ａｕｄｉｏ）、時間情報（ＰＣＲ）のＰＩＤの一致、不一致を判別する。
【００５５】
前記第１の例外処理手段は、ＰＭＴ判別手段の一致判別によりフラグレジスタ１４に未登録チャンネル有りのフラグをセットし、ＰＭＴ判別手段の不一致判別によりメイン値を選局周波数に対応した物理チャンネル値、サブ値をＰＭＴのＰ−ＮＵＭとするＶ−ＣＨを生成する。
【００５６】
前記第２の例外処理手段は、第１の例外処理手段により生成されたＶ−ＣＨがＣＨ−ＤＢ１３に未登録であれば、重複登録のおそれが無いため、当該Ｖ−ＣＨをＣＨ−ＤＢ１３にプリセットするチャンネルとして登録し、第１の例外処理手段により生成されたＶ−ＣＨがＣＨ−ＤＢ１３に既登録であれば、重複登録のおそれが有るので、フラグレジスタ１４に未登録チャンネル有りのフラグをセットする。
【００５７】
前記追加登録処理手段は、選局周波数の昇降可変が終了して全選局範囲を掃引検索し終えた後、フラグレジスタ１４の各未登録チャンネル有りのフラグがセットされた未登録のプリセットするチャンネルを、ＣＨ−ＤＢ１３に登録された各Ｖ−ＣＨと重複しないＶ−ＣＨに決定してＣＨ−ＤＢ１３に追加登録する。
【００５８】
該追加登録は、具体的には、ＶＣＴ有無判別手段がＶＣＴ有りとした未登録のプリセットするチャンネルについては、ＰＳＩＰのＶＣＴのＶ−ＣＨが１パートチャンネルか２パートチャンネルかを識別し、追加登録するＶ−ＣＨをＣＨ−ＤＢ１３の１パートチャンネル、２パートチャンネルそれぞれの既登録のＶ−ＣＨと異なるＶ−ＣＨに決定して行なう。又、ＶＣＴ有無判別手段がＶＣＴ無しとした未登録のプリセットするチャンネルについては、１パートチャンネルの登録を優先するため、ＣＨ−ＤＢ１３に１パートチャンネルのＶ−ＣＨが登録されていれば、追加登録するＶ−ＣＨをＣＨ−ＤＢ１３の既登録の最も大きな１パートチャンネルの次の１パートチャンネルのＶ−ＣＨに決定して行い、ＣＨ−ＤＢ１３に１パートチャンネルのＶ−ＣＨが登録されていなければ、追加登録するＶ−ＣＨをＣＨ−ＤＢ１３の既登録の最も大きな２パートチャンネルの次の２パートチャンネルのＶ−ＣＨに決定して行なう。
【００５９】
前記本登録処理手段は、前記追加登録の終了後にＣＨ−ＤＢ１３に一時的に登録された各Ｖ−ＣＨをメモリ４に書き込んで設定する。尚、この設定によってチャンネルプリセットが終了する。又、メモリ４の書き込みが終了すると、ＣＨ−ＤＢ１３はリセットクリアされて保持内容等が消去される。
【００６０】
（動作）
以上の構成に基づき、テレビジョン受信機１はチャンネルプリセット時に、チャンネルプリセット処理部１２の各手段の制御処理によって図２〜図４のステップＳ１〜Ｓ２９に示すように動作する。
【００６１】
すなわち、チャンネルプリセット処理部１２にチャンネルプリセットが指令されてチャンネルプリセットが始まると、前記有局検出手段が動作し、図２のステップＳ１により選局制御部３を介して受信復調部２の選局周波数が初期設定の周波数に設定され、その後、受信復調部２が新たなデジタルテレビ放送を受信するまで、ステップＳ２〜Ｓ４のループ処理によって前記選局周波数を掃引制御して昇順又は降順に昇降可変することを、全選局周波数範囲の下限から上限まで又はその逆に繰り返す。
【００６２】
そして、前記選局周波数の昇降可変によって受信復調部２がデジタルテレビ放送を受信してＴＳを復調すると、図２のステップＳ２からステップＳ５に移行して前記ＶＣＴ有無判別手段が動作し、受信復調したＴＳのＰＳＩＰにＶＣＴが存在するか否かを判別する。
【００６３】
このとき、ＰＳＩＰにＶＣＴが存在していると、ステップＳ５から図３のステップＳ６に移行して前記登録有無判別手段が動作する。
【００６４】
そして、未登録のＶ−ＣＨであれば、ステップＳ６からステップＳ７に移行して一時登録処理手段が動作し、ステップＳ７、Ｓ８により受信復調したＴＳのＰＳＩＰに存在するＶＣＴのメイン値及びサブ値のＶ−ＣＨをプリセットするチャンネルとしてＣＨ−ＤＢ１３に登録する。更に、ステップＳ８からステップＳ９、Ｓ１０を介してステップＳ６に戻るループ処理により、ＰＳＩＰに存在する各ＶＣＴのメイン値及びサブ値のＶ−ＣＨについて同様の登録を行なう。
【００６５】
一方、既登録のＶ−ＣＨであれば、図３のステップＳ６からステップＳ１１に移行し、前記一時登録処理手段がフラグレジスタ１４の未登録チャンネル有りのフラグをセットする。
【００６６】
そして、ステップＳ９又はステップＳ１１からステップＳ３に移行し、全選局範囲につい同様の処理をくり返す。
【００６７】
このようにすることで、ＣＨ−ＤＢ１３に、ＰＳＩＰに存在するＶＣＴの各Ｖ−ＣＨがが重複のおそれの有るものを除いてＣＨ−ＤＢ１３にプリセットするチャンネルとして一時的に登録され、重複のおそれが有るＶ−ＣＨについては、登録する代わりに、フラグレジスタ１４のチャンネル別の未登録チャンネル有りのフラグがセットされる。
【００６８】
次に、図２のステップＳ５において、受信復調されたＴＳのＰＳＩＰにＶＣＴが存在しないときは、ＶＣＴ有無判別手段のＶＣＴ無しの判別に基づき、ステップＳ５から図４のステップＳ１２に移行する。
【００６９】
そして、受信復調したＴＳのＰＡＴにＰＭＴが含まれていると、ステップＳ１２からステップＳ１７を介してステップＳ１４に移行し、最初のＰＭＴについてＶＣＴが存在するか否かを判別する。
【００７０】
このとき、ＰＭＴにＶＣＴが存在していなければ、ステップＳ１４からステップＳ１５に移行し、フラグレジスタ１４のチャンネル別の未登録チャンネル有りのフラグをセットする。その後、全てのＰＭＴについて判別が終了するまで、ステップＳ１６、Ｓ１７を介してステップ１４に戻る。
【００７１】
一方、ＰＭＴにＶＣＴが存在していると、前記ＰＭＴ判別手段が動作し、ステップＳ１４からステップＳ１８に移行する。
【００７２】
そして、ステップＳ１８、Ｓ１９により、ＰＭＴと、そのＶＣＴとのＰ−ＮＵＭの一致、不一致及び、映像（Ｖｉｄｅｏ）、音声（Ａｕｄｉｏ）、時間情報（ＰＣＲ）のＰＩＤの一致、不一致を判別し、前記Ｐ−ＮＵＭ、前記ＰＩＤのいずれもが不一致でＰＭＴ判別手段が不一致判別になると、ＰＭＴのＶＣＴのＶ−ＣＨが不正であるので、前記第１の例外処理手段が動作し、ステップＳ１９からステップＳ２０に移行してメイン値を選局周波数に対応した物理チャンネル値、サブ値をＰＭＴのＰ−ＮＵＭとするＶ−ＣＨを生成する。
【００７３】
更に、前記第２の例外処理手段が動作してステップＳ２１に移行し、第１の例外処理手段により生成されたＶ−ＣＨがＣＨ−ＤＢ１３に既に登録されているか否かを判別する。
【００７４】
そして、未登録であれば、重複登録のおそれが無いため、ステップＳ２２に移行し、第１の例外処理手段により生成されたＶ−ＣＨをＣＨ−ＤＢ１３にプリセットするチャンネルとして登録する。
【００７５】
尚、ステップＳ１８、Ｓ１９において、前記Ｐ−ＮＵＭ、前記ＰＩＤの少なくとも一方が一致すると、重複登録を排除して追加登録を行なうため、ステップＳ１８又はステップＳ１９からステップＳ１５に移行し、ＰＭＴ判別手段の一致判別に基づいて第１の例外処理手段がフラグレジスタ１４に未登録チャンネル有りのフラグをセットする。
【００７６】
又、第１の例外処理手段により生成されたＶ−ＣＨがＣＨ−ＤＢ１３に既登録であれば、重複登録のおそれが有るので、ステップＳ２１からステップＳ１５に移行してフラグレジスタ１４に未登録チャンネル有りのフラグをセットする。
【００７７】
そして、ＰＡＴの全てのＰＭＴについて上述の処理を施すと、ステップＳ１５又はステップＳ２２からステップＳ１６を介して図２のステップＳ３に戻る。
【００７８】
このようにすることで、選局範囲内の検索されたＡＴＳＣ方式の受信可能な全てのデジタルテレビ放送のうちの正規、かつ、重複登録のおそれがないＶ−ＣＨを含む放送のみ、そのＶ−ＣＨがプリセットするチャンネルとしてＣＨ−ＤＢ１３に一時登録され、残りの放送のＶ−ＣＨについては登録しないでフラグレジスタ１４の未登録チャンネル有りのフラグがセットされる。
【００７９】
そして、選局範囲の前記検索が終了すると、図２のステップＳ３からステップＳ２３に移行してＣＨ−ＤＢ１３に登録された各Ｖ−ＣＨをソートして把握した後、フラグレジスタ１４に未登録チャンネル有りのフラグがセットされていることを条件に、ステップＳ２４を介してステップＳ２５に移行し、未登録チャンネル有りのフラグがセットされている未登録の放送のプリセットチャンネルを追加登録する。
【００８０】
このとき、追加登録処理手段が動作して図５のステップＱ１〜Ｑ７の追加登録処理を実行する。
【００８１】
そして、図５のステップＱ１の判断に基づき、ＶＣＴ有無判別手段がＶＣＴ有りとした未登録のプリセットするチャンネルについては、ステップＱ２によりＰＳＩＰのＶＣＴのＶ−ＣＨが１パートチャンネルか２パートチャンネルかを識別する。
【００８２】
そして、この識別に基づき、ステップＱ３、Ｑ４により追加登録するＶ−ＣＨをＣＨ−ＤＢ１３の１パートチャンネル、２パートチャンネルそれぞれの既登録のＶ−ＣＨと異なるＶ−ＣＨに決定する。
【００８３】
具体的には、１パートチャンネルであれば、追加登録するＶ−ＣＨをＣＨ−ＤＢ１３の既登録の最も大きな１パートチャンネルの次の１パートチャンネルのＶ−ＣＨに決定する。又、２パートチャンネルであれば、追加登録するＶ−ＣＨをＶＣＴに含まれるＶ−ＣＨのメイン値と、そのメイン値のＣＨ−ＤＢ１３に既登録の２パートチャンネルのＶ−ＣＨの最大値のサブ値＋１のサブ値とからなる２パートチャンネルのＶ−ＣＨに決定する。
【００８４】
又、ＶＣＴ有無判別手段がＶＣＴ無しとした未登録のプリセットするチャンネルについては、ステップＱ１からステップＱ５に移行し、１パートチャンネルの登録を優先するため、ＣＨ−ＤＢ１３に１パートチャンネルのＶ−ＣＨが登録されていれば、ステップＱ６により、追加登録するＶ−ＣＨをＣＨ−ＤＢ１３の既登録の最も大きな１パートチャンネルの次の１パートチャンネルのＶ−ＣＨに決定し、ＣＨ−ＤＢ１３に１パートチャンネルのＶ−ＣＨが登録されていなければ、ステップＱ７により追加登録するＶ−ＣＨをＣＨ−ＤＢ１３の既登録の最も大きな２パートチャンネルの次の２パートチャンネルのＶ−ＣＨに決定する。
【００８５】
そして、追加登録するＶ−ＣＨを決定してＣＨ−ＤＢ１３に登録すると、図２のステップＳ２５からステップＳ２６に移行して該当する未登録チャンネル有りのフラグをリセットし、ステップＳ２７、Ｓ２８を介してステップＳ２４に戻るループ処理によって全ての未登録チャンネル有りのフラグがセットされている全ての未登録チャンネルについて同様の追加登録を行なう。
【００８６】
このようにすることで、受信可能な残りの放送についても重複登録なくＣＨ−ＤＢ１３にＶ−ＣＨが追加登録される。
【００８７】
そして、全ての追加登録が終了すると、ステップＳ２７からステップＳ２９に移行して前記本登録処理手段が動作し、ＣＨ−ＤＢ１３に一時的に登録された全てのＶ−ＣＨがメモリ４に書き込まれてチャンネルプリセットが終了する。尚、メモリ４の書き込みが終了すると、ＣＨ−ＤＢ１３はリセットクリアされて保持内容等が消去される。
【００８８】
したがって、ＡＴＳＣ方式のデジタルテレビ放送のチャンネルプリセット時に、チャンネルに関する情報が欠落している放送やＶ−ＣＨが重複するおそれがある放送については、選局範囲の検索終了後に一括してＶ−ＣＨを決定する構成により、チャンネルに関連する情報が不足したり重複したりするような例外的な放送を含む受信可能な全ての放送をチャンネルの重複等なく漏れなく適切にチャンネルプリセットすることができる。
【００８９】
しかも、受信復調したＴＳのＰＳＩＰにＶＣＴが存在するときには、未登録のプリセットするチャンネルを、ＶＣＴのＶ−ＣＨに合わせて本来の１パートチャンネル又は２パートチャンネルとしてプリセットすることができるので、プリセット後の選局操作等の違和感がなく、チャンネルプリセットの性能が一層向上する。
【００９０】
そして、本発明は上述した実施形態に限定されるものではなく、その趣旨を逸脱しない範囲において上述したもの以外に種々の変更を行うことが可能であり、例えば、チャンネルプリセット処理部１２の制御処理の手順等が前記両実施形態と異なっていてもよいのは勿論である。具体的には、例えばステップＳ２０において、サブ値を１から順の値にしてもよい。
【００９１】
つぎに、ＣＨ−ＤＢ１３に追加登録する各放送については、例えば、ＣＨ−ＤＢ１３に登録がないプリセット予約されていない空きのＶ−ＣＨ又はＣＨ−ＤＢ１３に登録されているプリセット済みのＶ−ＣＨを画面表示部７に表示し、ユーザがその表示から操作してＶ−ＣＨを指定して追加登録するようにしても良く、場合によっては、登録する全てのＶ−ＣＨをユーザが空いているＶ−ＣＨを画面表示部７の表示をモニタしながら操作設定するようにしてもよい。
【００９２】
そして、本発明は、ＡＴＳＣ方式のデジタルテレビ放送の受信機能を有する、独立タイプ及び内蔵（組み込み）タイプの種々の映像処理装置に適用することができる。
【図面の簡単な説明】
【００９３】
【図１】本発明の一実施形態におけるテレビジョン受信機の要部の回路ブロック図である。
【図２】同上、テレビジョン受信機のチャンネルプリセットの動作説明用の一部のフローチャートである。
【図３】同上、テレビジョン受信機のチャンネルプリセットの動作説明用の他の一部のフローチャートである。
【図４】同上、テレビジョン受信機のチャンネルプリセットの動作説明用の更に他の一部のフローチャートである。
【図５】同上、テレビジョン受信機の追加登録の詳細なフローチャートである。
【図６】同上、テレビジョン受信機の最初の電源投入時のチャンネルプリセットを促す画面の説明図である。
【図７】同上、テレビジョン受信機のメニュー画面の説明図である。
【図８】同上、テレビジョン受信機のチャンネルプリセット中の画面の説明図である。
【図９】ＡＴＳＣ方式のデジタルテレビ放送の一部のデータ構造の説明図である。
【図１０】同上、ＡＴＳＣ方式のデジタルテレビ放送の他の一部のデータ構造の説明図である。
【符号の説明】
【００９４】
２    受信復調部
３    選局制御部
４    チャンネルプリセット用のメモリ
１０    ＰＳＩＰ検出部
１１    チャンネル検出部
１２    チャンネルプリセット処理部
１３    チャンネルデータベース部（ＣＨ−ＤＢ）
１４    フラグレジスタ
【図１】
2008154149.tif 000003
【図２】
2008154149.tif 000004
【図３】
2008154149.tif 000005
【図４】
2008154149.tif 000006
【図５】
2008154149.tif 000007
【図６】
2008154149.tif 000008
【図７】
2008154149.tif 000009
【図８】
2008154149.tif 000010
【図９】
2008154149.tif 000011
【図１０】
2008154149.tif 000012